【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
外傷脳損傷ガイドラインシステムであって、
患者の外傷脳損傷パラメータをモニタすることに関するデータを生成するよう動作可能な患者モニタリングセンサと、
前記外傷脳損傷パラメータデータに基づき、前記患者の潜在的外傷性脳損傷を監視することに関連付けられるパラメータガイドラインデータと前記外傷脳損傷パラメータデータとの比較から得られる外傷脳損傷インジケーターを生成するよう動作可能であり、前記患者モニタリングセンサと通信する患者モニタリングデバイスとを有し、
前記外傷脳損傷インジケーターが、前記患者の外傷脳損傷状態と前記患者に関する外傷脳損傷処置との少なくとも１つを示す、システム。
【請求項２】
前記患者モニタリングセンサが、前記患者の収縮期血圧を示すデータを生成するよう動作可能な血圧センサであり、
前記収縮期血圧データに基づき、前記患者モニタリングデバイスは、前記患者の前記潜在的外傷性脳損傷に関連付けられる血圧ガイドラインデータと前記収縮期血圧データとの比較から得られる前記患者の低血圧状態を示す前記外傷脳損傷インジケーターを生成するよう動作可能である、請求項１に記載の外傷脳損傷ガイドラインシステム。
【請求項３】
前記患者モニタリングセンサが、前記患者の血中酸素の飽和を示すデータを生成するよう動作可能な血中酸素センサであり、
前記血中酸素データに基づき、前記患者モニタリングデバイスは、前記患者の前記潜在的外傷性脳損傷に関連付けられる血中酸素飽和ガイドラインデータと前記血中酸素飽和データとの比較から得られる前記患者の低酸素状態を示す前記外傷脳損傷インジケーターを生成するよう動作可能である、請求項１に記載の外傷脳損傷ガイドラインシステム。
【請求項４】
前記患者モニタリングセンサが、前記患者による二酸化炭素の呼気レベルを示すデータを生成するよう動作可能な二酸化炭素センサであり、
前記二酸化炭素データに基づき、前記患者モニタリングデバイスは、前記患者の前記潜在的外傷性脳損傷に関連付けられる呼気終末二酸化炭素ガイドラインデータと前記患者による呼気終末二酸化炭素の呼気との比較から得られる前記患者の二酸化炭素ベンチレーション状態を示す前記外傷脳損傷インジケーターを生成するよう動作可能である、請求項１に記載の外傷脳損傷ガイドラインシステム。
【請求項５】
前記患者モニタリングセンサが、前記患者による二酸化炭素の呼気レベルを示すデータを生成するよう動作可能な二酸化炭素センサであり、
前記二酸化炭素データに基づき、前記患者モニタリングデバイスは、前記患者の前記潜在的外傷性脳損傷に関連付けられる呼気終末二酸化炭素ガイドラインデータと前記患者による呼気終末二酸化炭素の呼気との比較から得られる前記患者に関するベンチレーション処置を示す前記外傷脳損傷インジケーターを生成するよう動作可能である、請求項１に記載の外傷脳損傷ガイドラインシステム。
【請求項６】
前記患者モニタリングデバイスが、前記患者の前記潜在的外傷性脳損傷を監視することに関連付けられる前記パラメータガイドラインデータのマップに対して前記外傷脳損傷インジケーターを視覚的に表示するよう動作可能である、請求項１に記載の外傷脳損傷ガイドラインシステム。
【請求項７】
前記患者モニタリングデバイスが、前記患者の前記潜在的外傷性脳損傷を監視することに関連付けられる前記パラメータガイドラインデータ及び前記患者の前記潜在的外傷性脳損傷を監視することに関連付けられる少なくとも１つの追加的なパラメータガイドラインデータのマップに対して前記外傷脳損傷インジケーターを視覚的に表示するよう動作可能である、請求項１に記載の外傷脳損傷ガイドラインシステム。
【請求項８】
患者モニタリングデバイスであって、
患者の外傷脳損傷パラメータを示すデータをモニタするよう動作可能な患者データモニタと、
前記外傷脳損傷パラメータデータのモニタリングに基づき、前記患者の潜在的外傷性脳損傷を監視することに関連付けられるパラメータガイドラインデータと前記外傷脳損傷パラメータデータとの比較から得られる外傷脳損傷インジケーターを生成するよう動作可能であり、前記患者データモニタと通信する外傷脳損傷モニタと、
前記患者データモニタ及び前記外傷脳損傷モニタを囲うハウジングとを有し、
前記外傷脳損傷インジケーターが、前記患者の外傷脳損傷状態と前記患者に関する外傷脳損傷処置との少なくとも１つを示す、デバイス。
【請求項９】
前記患者データモニタが、前記患者の収縮期血圧を示すデータをモニタするよう動作可能であり、
前記患者データモニタによる前記収縮期血圧データのモニタリングに基づき、前記外傷脳損傷モニタは、前記患者の前記潜在的外傷性脳損傷に関連付けられる血圧ガイドラインデータと前記収縮期血圧データとの比較から得られる前記患者の低血圧状態を示す前記外傷脳損傷インジケーターを生成するよう動作可能である、請求項８の患者モニタリングデバイス。
【請求項１０】
前記患者データモニタが、前記患者の血中酸素の飽和を示すデータをモニタするよう動作可能であり、
前記患者データモニタによる前記血中酸素レベルデータのモニタリングに基づき、前記外傷脳損傷モニタは、前記患者の前記潜在的外傷性脳損傷に関連付けられる血中酸素飽和ガイドラインデータと前記血中酸素飽和データとの比較から得られる前記患者の低酸素状態を示す前記外傷脳損傷インジケーターを生成するよう動作可能である、請求項８に記載の患者モニタリングデバイス。
【請求項１１】
前記患者データモニタが、前記患者による二酸化炭素の呼気レベルを示すデータをモニタするよう動作可能であり、
前記患者データモニタによる前記呼気二酸化炭素データのモニタリングに基づき、前記外傷脳損傷モニタは、前記患者の前記潜在的外傷性脳損傷に関連付けられる呼気終末二酸化炭素ガイドラインデータと前記患者による呼気終末二酸化炭素の呼気との比較から得られる前記患者の二酸化炭素ベンチレーション状態を示す前記外傷脳損傷インジケーターを生成するよう動作可能である、請求項８に記載の患者モニタリングデバイス。
【請求項１２】
前記患者データモニタが、前記患者により二酸化炭素の呼気レベルを示すデータをモニタするよう動作可能であり、
前記患者データモニタによる前記呼気二酸化炭素データのモニタリングに基づき、前記外傷脳損傷モニタは、前記患者の前記潜在的外傷性脳損傷に関連付けられる呼気終末二酸化炭素ガイドラインデータと前記患者による呼気終末二酸化炭素の呼気との比較から得られる前記患者に関するベンチレーション処置を示す前記外傷脳損傷インジケーターを生成するよう動作可能である、請求項８に記載の患者モニタリングデバイス。
【請求項１３】
前記外傷脳損傷モニタが、前記患者の前記潜在的外傷性脳損傷を監視することに関連付けられる前記パラメータガイドラインデータのマップに対して前記外傷脳損傷インジケーターを視覚的に表示するよう動作可能である、請求項８に記載の患者モニタリングデバイス。
【請求項１４】
前記外傷脳損傷モニタが、前記患者の前記潜在的外傷性脳損傷を監視することに関連付けられる前記パラメータガイドラインデータ及び前記患者の前記潜在的外傷性脳損傷を監視することに関連付けられる少なくとも１つの追加的なパラメータガイドラインデータのマップに対して前記外傷脳損傷インジケーターを視覚的に表示するよう動作可能である、請求項８に記載の患者モニタリングデバイス。
【請求項１５】
外傷脳損傷ガイドライン方法において、
患者モニタリングセンサが、患者の外傷脳損傷パラメータをモニタすることに関するデータを生成するステップと、
患者モニタリングデバイスが、前記患者モニタリングセンサと通信し、前記外傷脳損傷パラメータデータに基づき、前記患者の潜在的外傷性脳損傷に関連付けられるパラメータガイドラインデータと前記外傷脳損傷パラメータデータとの比較から得られる外傷脳損傷インジケーターを生成するステップとを有し、
前記外傷脳損傷インジケーターが、前記患者の外傷脳損傷状態と前記患者に関する外傷脳損傷処置との少なくとも１つを示す、方法。